(57)【特許請求の範囲】
【請求項１】
上面のフランジ部に壁パネルを載置できる浴槽と、別体の洗い場パンと、別体のエプロンとを架台上に載せて組み付け施工する構造の浴室ユニットにおいて、少なくとも前記エプロン側を除く浴槽側面と浴槽底面を覆うことができる可撓性の保温シートを、前記浴槽と前記架台との間に通し、該保温シートを前記浴槽の裏面上方および前記洗い場パン裏面の浴槽側に設けた掛止手段に掛止させたことを特徴とする浴室ユニット。
【請求項２】
上面のフランジ部に壁パネルを載置できる浴槽と、別体の洗い場パンと、別体のエプロンとを架台上に載せて組み付け施工する構造の浴室ユニットにおいて、少なくとも前記エプロン側を除く浴槽側面と浴槽底面を覆うことができる可撓性の保温シートを、前記浴槽を設置する架台と架台の設置面との間に通し、該保温シートを前記浴槽の裏面上方および前記洗い場パン裏面の浴槽側に設けた掛止手段に掛止させたことを特徴とする浴室ユニット。
【請求項３】
前記保温シートで、前記洗い場パン底側に設けられる排水トラップを覆うように構成した請求項１または請求項２に記載の浴室ユニット。
【発明の詳細な説明】
【技術分野】
【０００１】
本発明は、浴室ユニットに関するものである。
【背景技術】
【０００２】
従来、特許文献１に開示されているように、ユニット部材の外側全体を可撓性のシート素材で形成した保温袋で包み込む構造の浴室ユニットが存在する。
【特許文献１】実公平３−１５６８号公報
【発明の開示】
【発明が解決しようとする課題】
【０００３】
上記従来の浴室ユニットの構造では、保温袋を施工することが困難であり、十分な保温性を確保することが難しくなるという問題点があった。
【課題を解決するための手段】
【０００４】
本発明は上記従来の問題点に鑑み案出したものであって、良好に浴槽を保温構造とすることのできる浴室ユニットを提供せんとするものであり、その請求項１は、上面のフランジ部に壁パネルを載置できる浴槽と、別体の洗い場パンと、別体のエプロンとを架台上に載せて組み付け施工する構造の浴室ユニットにおいて、少なくとも前記エプロン側を除く浴槽側面と浴槽底面を覆うことができる可撓性の保温シートを、前記浴槽と前記架台との間に通し、該保温シートを前記浴槽の裏面上方および前記洗い場パン裏面の浴槽側に設けた掛止手段に掛止させたことである。
【０００５】
また、請求項２は、上面のフランジ部に壁パネルを載置できる浴槽と、別体の洗い場パンと、別体のエプロンとを架台上に載せて組み付け施工する構造の浴室ユニットにおいて、少なくとも前記エプロン側を除く浴槽側面と浴槽底面を覆うことができる可撓性の保温シートを、前記浴槽を設置する架台と架台の設置面との間に通し、該保温シートを前記浴槽の裏面上方および前記洗い場パン裏面の浴槽側に設けた掛止手段に掛止させたことである。
【０００６】
また、請求項３は、前記保温シートで、前記洗い場パン底側に設けられる排水トラップを覆うように構成したことである。
【発明の効果】
【０００７】
本発明の浴室ユニットは、上面のフランジ部に壁パネルを載置できる浴槽と、別体の洗い場パンと、別体のエプロンとを架台上に載せて組み付け施工する構造の浴室ユニットにおいて、少なくとも前記エプロン側を除く浴槽側面と浴槽底面を覆うことができる可撓性の保温シートを、前記浴槽と前記架台との間に通し、該保温シートを前記浴槽の裏面上方および前記洗い場パン裏面の浴槽側に設けた掛止手段に掛止させたことにより、浴室ユニットの施工現場において良好に浴槽全体を覆うように保温シートを被せることができ、浴槽を良好な保温構造にすることができるものとなる。
【０００８】
また、上面のフランジ部に壁パネルを載置できる浴槽と、別体の洗い場パンと、別体のエプロンとを架台上に載せて組み付け施工する構造の浴室ユニットにおいて、少なくとも前記エプロン側を除く浴槽側面と浴槽底面を覆うことができる可撓性の保温シートを、前記浴槽を設置する架台と架台の設置面との間に通し、該保温シートを前記浴槽の裏面上方および前記洗い場パン裏面の浴槽側に設けた掛止手段に掛止させたことにより、２階部分に浴室ユニットを設置する際にも、良好に施工現場で保温シートを施工して浴槽全体を覆うように被せることができ、浴槽を良好な保温構造にすることができるものとなる。
【０００９】
また、前記保温シートで、前記洗い場パン底側に設けられる排水トラップを覆うように構成したことにより、排水トラップも良好に保温シートで覆い保温することができ、寒冷地で設定される排水トラップの保温材の代わりに保温シートで良好に覆うことができ、浴槽の保温と排水トラップの保温を兼用することができるものとなる。
【実施例】
【００１０】
以下、本発明の実施例を図面に基づいて説明する。
図１は、浴室ユニットを構成する構成素材の分解斜視構成図である。
浴室ユニット１は、浴槽２と洗い場パン４とエプロン５が３分割されて形成されており、浴槽２は、その上面のフランジ部２ａの外周に水切立上片２ｂが形成されて、この水切立上片２ｂの内側のフランジ部２ａ上に壁パネル３を載置できるように構成されている。
【００１１】
また、この浴槽２の、例えばフランジ部２ａの裏側には、下方側へ突出状に、図３に拡大図で示すように掛止フック２ｃが設けられており、この掛止フック２ｃは、水切立上片２ｂが形成されている３辺に所定間隔で複数設けられたものとなっている。
【００１２】
また、洗い場を形成する洗い場パン４は、図４に要部拡大断面構成図で示すように、浴槽２側に凹み状に排水枡４ａが形成されており、この排水枡４ａの底面には下方へ突出状に排水トラップ４ｂが取り付けられており、この排水トラップ４ｂには、浴槽２の底面側から浴槽水を排水する浴槽排水管９が接続されるものであり、また反対側には、排水管１０が接続されるものである。
洗い場パン４の裏側の浴槽２側の辺に沿って複数の掛止フック４ｃが形成されており、また、この掛止フック４ｃは、排水枡４ａの裏側にも複数突出形成されている。
【００１３】
このような洗い場パン４と浴槽２とエプロン５は架台６上に載せられて現場で組み付け施工されるものである。
架台６に垂設されている複数の脚部６ａ，６ａをそれぞれ高さ調節して、架台６を所定高さに設置し、この架台６上に、図５に示すように、先ず洗い場パン４を置き、この状態で架台６上に浴槽２を傾けた状態で設置するのであるが、この時に架台６上に予め保温シート７を置き、保温シート７を架台６と浴槽２の底面間に通した状態にしておき、保温シート７の上部を前記浴槽２の複数の掛止フック２ｃ，２ｃ，２ｃに掛止することができる。
【００１４】
即ち、この保温シート７は、エプロン５側を除く浴槽２の側面と浴槽の底面を覆うことができる形状に可撓性のシート素材で形成されたものであり、図１に示すように、浴槽２の底面の下方に配置される底面７ａの後方から背面７ｃが立ち上げ形成され、また側方には側面７ｄ，７ｄが一体状に立ち上げ形成されてエプロン５側のみが開放され、このエプロン５側の底面７ａには、凹み状に凹面７ｂが一体形成されており、この凹面７ｂは、排水トラップ４ｂの下方を覆うことのできる形状に形成されたものである。
【００１５】
この保温シート７の背面７ｃと側面７ｄ，７ｄの上部および底面７ａのエプロン側には、複数の掛止孔７ｅ，７ｅ，７ｅが形成されており、図２には、この上部の掛止孔７ｅの拡大図を示す。
また、保温シート７には、掛止孔７ｅ，７ｅ，７ｅの内側に発泡シール部材（例えばスポンジパッキン等）８が貼着されており、この発泡シール部材８は、背面８ｃから左右の側面７ｄに亘り貼着され、さらにエプロン側５で下方側へ向かい、さらにエプロン側の底面７ａに亘って内側全周に貼着されたものとなっている。
【００１６】
図５のように、浴槽２を傾けた状態で保温シート７の上端側の掛止孔７ｅ，７ｅ，７ｅを浴槽２の掛止フック２ｃ，２ｃ，２ｃに掛止させて、保温シート７の上端側を固定することができ、また、保温シート７の下側は、排水枡４ａや洗い場パン４の裏側に形成されている掛止フック４ｃ，４ｃ，４ｃに掛止させて固定することができるものであり、この状態では、保温シート７はエプロン５側を除く浴槽２の側面および底面を覆い、しかも排水トラップ４ｂも覆うことができるものである。
【００１７】
浴槽２の洗い場パン４側にエプロン５を取り付けた後に、図６に示すように、浴槽２を水平状態に架台６上に落とし込んで施工することができ、この状態では、浴槽２の底面が保温シート７を架台６上に挟み付けて、良好に保温シート７を固定状態とすることができるものであり、この状態で保温シート７の内側に設けられている発泡シール部材８が浴槽２の側面等に当接して潰れた状態となり、これにより、発泡シール部材８の内側で保温シート７と浴槽２の外周間に良好な断熱空気層Ｓが形成されることとなる。
また、排水トラップ４ｂの回りも良好に保温シート７で覆われて、排水トラップ４ｂも良好な保温状態とすることができるものである。
なお、図７には、保温シート７で浴槽２および排水トラップ４ｂを覆った状態の平面図を示す。
【００１８】
発泡シール部材８が潰れて保温シート７の内部に良好に断熱空気層Ｓが形成されることで、保温シート７の内部に空気が侵入することが良好に防がれて、対流による熱の伝導が低減され、良好な保温性能が確保されるものとなる。
なお、保温シート７に防水性能も備えられている場合には、浴槽２に形成されている追い焚き加工の穴や排水トラップ４ｂからの万が一の漏水を、ある程度保持することが可能となり、漏水による拡大被害の発生を遅延させることができ、定期点検などでの発見で良好に漏水を回避できる可能性が増すこととなる。
【００１９】
なお、このように浴槽２と架台６間に保温シート７を挟み込んで設置した後に、図６のように、浴槽２の水切立上片２ｂの内側に壁パネル３が載置されて壁面が形成されるものである。
このように排水トラップ４ｂも保温シート７で保温できるような構造では、寒冷地等で設定される排水トラップの保温材の代わりに保温シート７で覆うことができ、浴槽２と排水トラップ４ｂの保温を兼用することができるものとなる。
【００２０】
なお、図８の平面図で示すように、保温シート７で浴槽のみを保温するように構成しても良く、この場合は、排水トラップ４ｂは保温シート７で覆われることがないため、保温シート７は凹面７ｂの存在しない単純な形状に設定しておくことができ、また、排水枡４ａには掛止フック４ｃを形成させる必要がない。
【００２１】
次に、図９に示すものは、２階部分に浴室ユニットを設置した場合の設置状態図であり、２階部分では、図１０に示すように、土台１２，１２間に掛け渡し状に予め通し架台１１が設置されるものであり、この通し架台１１は、水平片１１ａの両端側に吊り下げ片１１ｂ，１１ｂが一体形成されたものであり、吊り下げ片１１ｂ，１１ｂの両端を土台１２にボルト等で固定して、土台１２に取り付け固定できるものである。
【００２２】
このようにして予め通し架台１１を設置しておき、この通し架台１１の水平片１１ａ上に、図９に示すように、架台６の脚部６ａを載せて、通し架台１１上に架台６を設置し、架台６上に浴槽２および洗い場パン４が組み付けられるものである。
図９では、施工時に保温シート７を通し架台の水平片１１ａの上面に載せておき、架台６を設置する時に、この架台６の脚部６ａで保温シート７を通し架台の水平片１１ａに挟み付けて、保温シート７を固定することができるものである。
なお、その他の構造は、図５および図６の場合と同様なものである。
【図面の簡単な説明】
【００２３】
【図１】浴室ユニットの構成部材の分解斜視構成図である。
【図２】保温シートに形成された掛止孔の部分の拡大斜視構成図である。
【図３】浴槽の要部拡大構成図である。
【図４】洗い場パンの排水トラップ周辺の拡大縦断面構成図である。
【図５】現場において架台上に浴槽を傾けて設置した状態の作業説明図である。
【図６】浴槽を水平にして架台との間で保温シートを挟み込んだ状態の作業説明図である。
【図７】図６の平面構成図である。
【図８】浴槽のみを保温シートで覆った場合の図７に対応する平面構成図である。
【図９】２階部分に浴室ユニットを施工した状態の施工状態図である。
【図１０】２階部分に浴室ユニットを施工する際に予め設置される通し架台の斜視構成図である。
【符号の説明】
【００２４】
１  浴室ユニット
２  浴槽
２ａ  フランジ部
２ｂ  水切立上片
２ｃ  掛止フック
３  壁パネル
４  洗い場パン
４ａ  排水枡
４ｂ  排水トラップ
４ｃ  掛止フック
５  エプロン
６  架台
６ａ  脚部
７  保温シート
７ａ  底面
７ｂ  凹面
７ｃ  背面
７ｄ  側面
７ｅ  掛止孔
８  発泡シール部材
１１  通し架台
【図１】
0004627015.tif 000002
【図２】
0004627015.tif 000003
【図３】
0004627015.tif 000004
【図４】
0004627015.tif 000005
【図５】
0004627015.tif 000006
【図６】
0004627015.tif 000007
【図７】
0004627015.tif 000008
【図８】
0004627015.tif 000009
【図９】
0004627015.tif 000010
【図１０】
0004627015.tif 000011